(57)【特許請求の範囲】
【請求項１】
前後方向に長い乾燥機本体内に上段の貯留部と中段の乾燥部と下段の集穀部とを設け、前記乾燥部内に前記貯留部と集穀部とを連絡して前後方向に延びる流穀路を設けるとともにこの流穀路に隣接して前後方向に延びる遠赤外線放射室を設け、前記乾燥部外の乾燥機本体前側にバーナを設けるとともに前記乾燥機本体後側に排風機を設け、前記遠赤外線放射室内に前記バーナに一端側が連絡されるとともに他端側が前記排風機近傍に位置される略筒形状の遠赤外線放射体を設けた遠赤外線穀物乾燥機において、前記バーナと前記遠赤外線放射体の間にバーナ側から遠赤外線放射体側に向かって漸次拡大するテーパ状の接続管を設け、前記遠赤外線放射体の局部加熱を防止するために遠赤外線放射体の内側にスリーブを設けるとともに、このスリーブを遠赤外線放射体の接続管取付端面から内側方向に離間させて配置し、前記スリーブは、外形寸法よりも小となるようにスリーブの下流側端部の通路断面積を絞る抵抗体を設けたことを特徴とする遠赤外線穀物乾燥機の放射体構造。
【発明の詳細な説明】
【０００１】
【発明の属する技術分野】
この発明は遠赤外線穀物乾燥機の放射体構造に係り、特にバーナの部品が高温に晒される不具合や遠赤外線放射体が局部過熱される不具合、そして遠赤外線放射体の赤熱によるユーザに与えていた不安感を解消し得る遠赤外線穀物乾燥機の放射体構造に関する。
【０００２】
【従来の技術】
米麦等の穀物を乾燥させる穀物乾燥機には、精米前の籾状態の米や麦等の穀物を乾燥するものであり、循環型や平型等の穀物乾燥機がある。
【０００３】
循環型の穀物乾燥機は、乾燥機本体内に上部から順次に穀物の投入される貯留部と穀物を乾燥する乾燥部と乾燥した穀物を集める集穀部とを設け、穀物を上段の貯留部から中段の乾燥部を経て下段の集穀部に導いた後に前記上段の貯留部に戻して循環させる間に、前記乾燥部において熱風や遠赤外線により穀物を乾燥する。
【０００４】
そして、穀物乾燥機において遠赤外線を利用して、つまり遠赤外線穀物乾燥機によって穀物を乾燥する際には、図示しない遠赤外線穀物乾燥機の乾燥部１０８に、図１２〜図１５に示す如く、バーナ１３２と遠赤外線放射体１３８とを配設している。
【０００５】
このとき、バーナ１３２は、液体燃料を燃焼させて熱気を発生させ、熱気により遠赤外線放射体１３８を加熱して遠赤外線を放出させ、穀物を乾燥している。
【０００６】
このような穀物乾燥機としては、特開平８−１４７４６号公報、特開平９−１１３１４０号公報、特開平１０−８２５８６号公報に開示されるものがある。
【０００７】
特開平８−１４７４６号公報に開示されるものは、貯留槽内に、流下する穀物に対して遠赤外線放射熱及び熱風を下向きに放射、噴出させる遠赤外線放射室を設けたものである。特開平９−１１３１４０号公報に開示されるものは、遠赤外線放射体としての放熱管を熱風室内に設け、この放熱管の一端にバーナを設けるとともに、放熱管の他端を熱風室内に開口したものである。特開平１０−８２５８６号公報に記載のものは、穀物が流動する部位に遠赤外線放射体を対向して設け、この遠赤外線放射体を流動する穀物に対向する面が転換されるように回転させるものである。
【０００８】
【発明が解決しょうとする課題】
ところで、従来の遠赤外線穀物乾燥機において、図１３に示す如く、バーナ１３２と遠赤外線放射体１３８とは、略全面を密着するように接続されている。
【０００９】
この結果、加熱された遠赤外線放射体からバーナへの伝熱でバーナの部品が、例えば使用温度以上の高温に晒される惧れがあるという不都合がある。
【００１０】
そして、超大型の穀物乾燥機では、バーナが高温に晒される状況が顕著であり、バーナの部品の耐久性が低下するという不都合がある。
【００１１】
また、前記バーナに遠赤外線放射体を直結させることにより、遠赤外線放射体が局部過熱され、赤熱することとなり、遠赤外線放射体の耐久性が低下するとともに、ユーザに不安感を抱かせることにもなり、実用上不利であるという不都合がある。
【００１２】
【課題を解決するための手段】
そこで、この発明は、上述不都合を除去するために、前後方向に長い乾燥機本体内に上段の貯留部と中段の乾燥部と下段の集穀部とを設け、前記乾燥部内に前記貯留部と集穀部とを連絡して前後方向に延びる流穀路を設けるとともにこの流穀路に隣接して前後方向に延びる遠赤外線放射室を設け、前記乾燥部外の乾燥機本体前側にバーナを設けるとともに前記乾燥機本体後側に排風機を設け、前記遠赤外線放射室内に前記バーナに一端側が連絡されるとともに他端側が前記排風機近傍に位置される略筒形状の遠赤外線放射体を設けた遠赤外線穀物乾燥機において、前記バーナと前記遠赤外線放射体の間にバーナ側から遠赤外線放射体側に向かって漸次拡大するテーパ状の接続管を設け、前記遠赤外線放射体の局部加熱を防止するために遠赤外線放射体の内側にスリーブを設けるとともに、このスリーブを遠赤外線放射体の接続管取付端面から内側方向に離間させて配置し、前記スリーブは、外形寸法よりも小となるようにスリーブの下流側端部の通路断面積を絞る抵抗体を設けたことを特徴とする。
【００１３】
【発明の実施の形態】
上述の如く発明したことにより、遠赤外線放射体を設けた遠赤外線穀物乾燥機において、バーナと遠赤外線放射体の間にバーナ側から遠赤外線放射体側に向かって漸次拡大するテーパ状の接続管を設け、バーナの部品が高温に晒されることがなくなり、バーナの部品の耐久性を向上し、部品寿命を長くするとともに、遠赤外線放射体が局部過熱されなくなり、しかも遠赤外線放射体が赤熱せず、ユーザに与えていた不安感を解消している。
また、遠赤外線放射体の内側に円筒形状のスリーブを配設し、遠赤外線放射体の局部加熱を緩和している。
更に、遠赤外線放射体の接続管取付端面から内側方向に離間させてスリーブを配置し、バーナ側への輻射を減少させている。
更にまた、スリーブの下流側端部の通路断面積を絞り、外形寸法よりも小となるように抵抗体を設け、カーボンの発生量を減少させ、良好な燃焼状態を確保している。
【００１４】
【実施例】
以下図面に基づいて、この発明の実施例を説明する。
【００１５】
図１〜図１１は、この発明の実施例を示すものである。
【００１６】
図１０及び図１１において、２は循環型の遠赤外線穀物乾燥機、４は乾燥機本体、６は貯留部、８は乾燥部、１０は集穀部である。
【００１７】
前記遠赤外線穀物乾燥機２は、前板１２と後板１４と側板１６とにより前後方向に長い乾燥機本体４を形成している。乾燥機本体４内には、上部から順次に、穀物の投入される貯留部６と穀物を乾燥する乾燥部８と乾燥した穀物を集める集穀部１０とを設けている。
【００１８】
また、遠赤外線穀物乾燥機２は、乾燥機本体４の前板１２側に揚穀機１８を設け、貯留部６上方に揚穀機１８上部に連絡される上部搬送手段２０を設け、集穀部１０下方に揚穀機１８下部に連絡される下部搬送手段２２を設けている。
【００１９】
更に、遠赤外線穀物乾燥機２は、揚穀機１８により揚上した穀物を上部搬送手段２０により貯留部６内に均分落下させ、乾燥部８において乾燥した後に集穀部１０に集め、下部搬送手段２２により揚穀機１８下部に搬送して再び揚上するという循環を繰返して穀物の乾燥を行う。
【００２０】
前記乾燥部８内には、図１１に示す如く、貯留部６と集穀部８とを連絡して乾燥機本体４の前後方向に延びる流穀路２４を設けるとともに、この流穀路２４に隣接して乾燥機本体４の前後方向に延びる遠赤外線放射室２６を設けている。
【００２１】
この実施例においては、多孔板や網状部材等からなる通気性の通風部材２８により仕切られる２つの流穀路２４を幅方向に離間させて対称に設け、２つの流穀路２４の間に前後方向に延びる遠赤外線放射室２６を設け、２つの流穀路２４の外側のそれぞれ側板１６との間に前後方向に延びる排風室３０を設けている。
【００２２】
前記遠赤外線穀物乾燥機２は、図１０に示す如く、乾燥部８外部の乾燥機本体４前側に液体燃料を燃焼して熱気を発生するガンタイプのバーナ３２を設けるとともに、乾燥機８外部の乾燥機本体４後側に排風室３０の熱気を吸引して排出する排風機３４を設けている。バーナ３２は前板１２に取り付けられているとともに、排風機３４は後板１４に取り付けられている。
【００２３】
そして、バーナ３２及び排風機３４は、前板１２に取り付けられた制御部３６により制御される。この制御部３６は、バーナ３２及び排風機３４を制御して穀物を乾燥させる熱気を発生させるとともに乾燥後の熱気を排出させ、また、揚穀機１８や上部搬送手段２０、下部搬送手段２０の各モータ（図示せず）を制御して穀物を循環させる。
【００２４】
前記遠赤外線穀物乾燥機２は、一端側がバーナ３２に連絡されるとともに他端側が排風機３４近傍に位置される略筒形状の遠赤外線放射体３８を遠赤外線放射室２６内に設けている。
【００２５】
この遠赤外線放射体３８は、図６及び図７に示す如く、内部に放射体通路４０を有する略円筒形状に板状部材によって形成される。
【００２６】
前記遠赤外線放射体３８は、放射体通路４０を流れる熱気により表面に付設されたセラミック等の遠赤外線放射素材が加熱され、遠赤外線を放射する。
【００２７】
また、遠赤外線放射体３８の一端側に、バーナ３２に連絡するバーナ側取付部４２を設ける。このバーナ側取付部４２には、バーナ３２からの熱気が流通する連通孔４４を設けている。遠赤外線放射体３８は、他端側を閉塞し、この閉塞部位上方に断面円弧状の湾曲管通路４６を設けている。
【００２８】
前記遠赤外線放射体３８の他端側の閉塞部位上方には、戻り管として機能する断面円弧形状の湾曲管４８の一端側を連結して設けている。
【００２９】
つまり、湾曲管４８は、図７に示す如く、一端側である下端側を遠赤外線放射体３８の他端側の閉塞部位上方に接続し、上方において遠赤外線放射体３８の一端側に指向するよう湾曲することにより、内部に前記湾曲管通路４６を有する断面円弧形状に形成される。
【００３０】
前記湾曲管４８の他端側には、熱風管５０の一端側を連結して設けている。熱風管５０は、内部に熱風管通路５２を有する略円筒形状に板状部材によって形成される。熱風管５０は、遠赤外線放射体３８の上方に平行に配設され、他端側を遠赤外線放射体３８の一端側のバーナ側取付部４２近傍に熱風管通路５２の熱風出口５４を開口して設けている。
【００３１】
前記遠赤外線放射体３８は図示しないレール上に配設され、遠赤外線放射体３８の上部と熱風管５０の下部とを平行に連結して設けている。そして、図２に示す如く、熱風管５０の上部にサーモスタット取付部５６を介してサーモスタット５８を設ける。
【００３２】
このとき、前記バーナ３２と前記遠赤外線放射体３８の間に、バーナ３２側から遠赤外線放射体３８側に向かって漸次拡大するテーパ状の接続管６０を設ける構成とする。
【００３３】
詳述すれば、前記バーナ３２と遠赤外線放射体３８の一端側のバーナ側取付部４２間に、図１及び図２に示す如く、接続管６０を配設するものである。
【００３４】
この接続管６０は、図４及び図５に示す如く、バーナ３２に取り付けられる小径環状部６０−１と、遠赤外線放射体３８の一端側のバーナ側取付部４２に取り付けられる大径環状部６０−２と、小径環状部６０−１と大径環状部６０−２とを連絡するテーパ面部６０−３とからなる。
【００３５】
また、前記遠赤外線放射体３８の局部加熱を防止するために、遠赤外線放射体３８の内側に板状部材によって円筒形状に形成されるスリーブ６２を配設する。
【００３６】
そしてこのとき、このスリーブ６２を配設する際には、図７に示す如く、遠赤外線放射体３８の接続管取付端面であるバーナ側取付部４２から内側方向に、例えば数ｃｍだけ離間させてスリーブ６２を配置する。
【００３７】
更に、前記スリーブ６２には、外形寸法よりも小となるように、スリーブ６２の下流側端部の通路断面積を絞る抵抗体６４を設ける。
【００３８】
つまり、図８及び図９に示す如く、抵抗体６４を板状部材によって環状に形成し、前記スリーブ６２の下流側端部に抵抗体６４を装着してスリーブ６２の下流側端部の通路断面積を絞るものである。
【００３９】
次に作用を説明する。
【００４０】
前記遠赤外線穀物乾燥機２による穀物の乾燥が開始されると、バーナ３２が燃焼を開始し、このバーナ３２は乾燥温度が設定値となるようにＯＮ・ＯＦＦ動作を繰り返しながら燃焼する。
【００４１】
そして、バーナ３２の発生する熱気によって遠赤外線放射体３８が加熱され、遠赤外線放射体３８の表面から遠赤外線が放射されると同時に、バーナ３２からの熱気は、遠赤外線放射体３８の他端側の閉塞部位上方に接続される湾曲管４８の湾曲管通路４６及び熱風管５０の熱風管通路５２を経て、バーナ３２側に戻り、熱風出口５４より前板１２を経て、外気と混合される。このとき、前板１２の裏面側に至ったバーナ３２からの熱気は、外気・熱風混合部として機能する前板１２によって、左下及び右下方向に分流され、外気との混合が行われる。
【００４２】
穀物は、遠赤外線放射体３８による遠赤外線の照射と熱風管５０の熱風管通路５２を流れる熱風との両方で乾燥される。
【００４３】
なお、前記遠赤外線穀物乾燥機２の満量近くまで張り込まれた穀物を乾燥する場合には、５０〜５０度の熱風が必要となり、前記バーナ３２を最大燃焼近傍で燃焼させる必要がある。
【００４４】
このとき、前記遠赤外線放射体３８のバーナ側はバーナ３２の燃焼炎によって局部的に加熱される状態となるが、バーナ３２と遠赤外線放射体３８の間に設けたテーパ状の接続管６０によって、遠赤外線放射体３８からたとえバーナ３２への伝熱が減少し、バーナ３２を連続燃焼させても、バーナ３２の部品の使用限界温度を越えることがなくなった。
【００４５】
また、前記遠赤外線放射体３８の内側に配設した円筒形状のスリーブ６２は、遠赤外線放射体３８の局部加熱を緩和している。
【００４６】
更に、前記遠赤外線放射体３８の接続管取付端面であるバーナ側取付部４２から内側方向に、例えば数ｃｍだけ離間させて配置したスリーブ６２は、バーナ側への輻射を減少させている。
【００４７】
更にまた、前記スリーブ６２の下流側端部の通路断面積を絞り、外形寸法よりも小となるように設けた抵抗体６４は、カーボンの発生量の少ない燃焼を実現させている。
【００４８】
これにより、前記バーナ３２と前記遠赤外線放射体３８の間に設けたテーパ状の接続管６０によって、バーナ３２の部品が高温に晒されることがなくなり、バーナ３２の部品の耐久性を向上し得て、部品寿命を長くでき、経済的に有利であるとともに、遠赤外線放射体３８が局部過熱されなくなり、保守・点検を行う期間を長くでき、しかも遠赤外線放射体３８が赤熱せず、ユーザに与えていた不安感を解消し得て、実用上有利である。
【００４９】
また、前記遠赤外線放射体３８の内側に円筒形状のスリーブ６２を配設したことにより、遠赤外線放射体３８の局部加熱を緩和することができる。
【００５０】
更に、前記遠赤外線放射体３８の接続管取付端面であるバーナ側取付部４２から内側方向に、例えば数ｃｍだけ離間させてスリーブ６２を配置したことにより、バーナ側への輻射を減少し得て、実用上有利である。
【００５１】
更にまた、前記スリーブ６２の下流側端部の通路断面積を絞り、外形寸法よりも小となるように抵抗体６４を設けたことにより、カーボンの発生量を減少させることができ、良好な燃焼状態を確保し得る。
【００５２】
なお、この発明は上述実施例に限定されるものではなく、種々の応用改変が可能である。
【００５３】
例えば、この発明の実施例においては、前記遠赤外線放射体の内側に円筒形状のスリーブを配設する際に、遠赤外線放射体の接続管取付端面であるバーナ側取付部から内側方向に、例えば数ｃｍだけ離間させてスリーブを配置する構成としたが、この離間部位に耐熱部材を設ける特別構成とすることも可能である。
【００５４】
すなわち、遠赤外線放射体の接続管取付端面であるバーナ側取付部から内側方向に、例えば数ｃｍだけ離間させてスリーブを配置する際に、この離間部位に耐熱部材を積極的に設けるものである。
【００５５】
さすれば、遠赤外線放射体の局部加熱の緩和及びバーナ側への輻射の減少を積極的に行うことができるものである。
【００５６】
また、この発明の実施例においては、前記スリーブの下流側端部の通路断面積を絞るために、外形寸法よりも小となるように環状の抵抗体を設ける構成としたが、絞り速度を円滑とするために、漏斗状に絞った形状の抵抗体とする特別構成とすることも可能である。
【００５７】
さすれば、バーナからの熱気が遠赤外線放射体内に流入する際に、漏斗状の抵抗体によって熱気の流れが円滑化され、実用上有利である。
【００５８】
【発明の効果】
以上詳細に説明した如くこの発明は、前後方向に長い乾燥機本体内に上段の貯留部と中段の乾燥部と下段の集穀部とを設け、乾燥部内に貯留部と集穀部とを連絡して前後方向に延びる流穀路を設けるとともにこの流穀路に隣接して前後方向に延びる遠赤外線放射室を設け、乾燥部外の乾燥機本体前側にバーナを設けるとともに乾燥機本体後側に排風機を設け、遠赤外線放射室内に前記バーナに一端側が連絡されるとともに他端側が排風機近傍に位置される略筒形状の遠赤外線放射体を設けた遠赤外線穀物乾燥機において、バーナと遠赤外線放射体の間にはバーナ側から遠赤外線放射体側に向かって漸次拡大するテーパ状の接続管を設けたので、バーナの部品が高温に晒されることがなくなり、バーナの部品の耐久性を向上し得て、部品寿命を長くでき、経済的に有利であるとともに、遠赤外線放射体が局部過熱されなくなり、保守・点検を行う期間を長くでき、しかも遠赤外線放射体が赤熱せず、ユーザに与えていた不安感を解消し得て、実用上有利である。
また、前記遠赤外線放射体の内側に円筒形状のスリーブを配設したことにより、遠赤外線放射体の局部加熱を緩和することができる。
更に、前記遠赤外線放射体の接続管取付端面から内側方向に離間させてスリーブを配置したことにより、バーナ側への輻射を減少し得て、実用上有利である。
更にまた、前記スリーブの下流側端部の通路断面積を絞り、外形寸法よりも小となるように抵抗体を設けたことにより、カーボンの発生量を減少させることができ、良好な燃焼状態を確保し得る。
【図面の簡単な説明】
【図１】この発明の実施例を示す遠赤外線穀物乾燥機に装着されるバーナの右側面図である。
【図２】バーナの正面図である。
【図３】バーナの平面図である。
【図４】接続管の中央縦断面図である。
【図５】接続管の正面図である。
【図６】遠赤外線放射体の正面図である。
【図７】遠赤外線放射体の右側面図である。
【図８】スリーブの概略正面図である。
【図９】スリーブの要部切欠き右側面図である。
【図１０】遠赤外線穀物乾燥機の正面図である。
【図１１】遠赤外線穀物乾燥機の左側面図である。
【図１２】この発明の従来技術を示す遠赤外線穀物乾燥機に装着されるバーナの右側面図である。
【図１３】バーナの正面図である。
【図１４】遠赤外線放射体の右側面図である。
【図１５】遠赤外線放射体の正面図である。
【符号の説明】
２  遠赤外線穀物乾燥機
４  乾燥機本体
６  貯留部
８  乾燥部
１０  集穀部
１８  揚穀機
２０  上部搬送手段
２２  下部搬送手段
２４  流穀路
２６  遠赤外線放射室
２８  通風部材
３０  排風室
３２  バーナ
３４  排風機
３６  制御部
３８  遠赤外線放射体
４０  放射体通路
４２  バーナ側取付部
４４  連通孔
４６  湾曲管通路
４８  湾曲管
５０  熱風管
５２  熱風管通路
５４  熱風出口
５６  サーモスタット取付部
５８  サーモスタット
６０  接続管
６０−１  小径環状部
６０−２  大径環状部
６０−３  テーパ面部
６２  スリーブ
６４  抵抗体
【図１】
0004089169.tif 000002
【図２】
0004089169.tif 000003
【図３】
0004089169.tif 000004
【図４】
0004089169.tif 000005
【図５】
0004089169.tif 000006
【図６】
0004089169.tif 000007
【図７】
0004089169.tif 000008
【図８】
0004089169.tif 000009
【図９】
0004089169.tif 000010
【図１０】
0004089169.tif 000011
【図１１】
0004089169.tif 000012
【図１２】
0004089169.tif 000013
【図１３】
0004089169.tif 000014
【図１４】
0004089169.tif 000015
【図１５】
0004089169.tif 000016